(57)【要約】【課題】  自由度の高いセキュリティシステムを実現可能な監視装置を提供することである。【解決手段】  監視カメラ１と、異常を検出すると異常信号を出力するセンサ手段２と、センサ手段２の異常信号を受け取ると監視カメラ１を作動させて画像を取得する制御部３とを備えた監視装置であって、制御部３はセンサ手段２の異常信号の入力に対して複数の端子３７ａ，３７ｂ，３７ｃ，３７ｄに制御信号を出力可能であって、各端子３７ａ，３７ｂ，３７ｃ，３７ｄへの制御信号の出力可否が選択可能とされることで課題解決を図る。【選択図】      図１
2006302053.tif 000002
【特許請求の範囲】
【請求項１】
監視カメラと、異常を検出すると異常信号を出力するセンサ手段と、センサ手段の異常信号を受け取ると監視カメラを作動させて画像を取得する制御部とを備え、制御部はセンサ手段の異常信号の入力に対して複数の端子に制御信号を出力可能であって、各端子への制御信号の出力可否が選択可能とされることを特徴とする監視装置。
【請求項２】
センサ手段は、異常種別に対応した異常信号を出力し、制御部は、異常種別ごとに各端子への制御信号の出力可否が選択可能とされることを特徴とする請求項１に記載の監視装置。
【請求項３】
少なくとも一つの端子に接続される照明装置を備え、該照明装置は、上記制御信号によって監視カメラが撮影する領域を照らすことを特徴とする請求項１または２に記載の監視装置。
【請求項４】
少なくとも一つの端子に接続される警報装置を備え、該警報装置は、上記制御信号によって警報音を出力することを特徴とする請求項１から３のいずれかに記載の監視装置。
【請求項５】
各端子への各制御信号の出力可否の選択は制御部に通信手段を介して携帯端末あるいは端末から伝達される命令によって変更可能とされていることを特徴とする請求項１から４のいずれかに記載の監視装置。
【請求項６】
制御部から通信手段を介して画像データを受け取るサーバを備え、該サーバは、画像情報を含む情報を携帯端末あるいは端末に伝達することを特徴とする請求項１から５のいずれかに記載の監視装置。
【発明の詳細な説明】
【技術分野】
【０００１】
本発明は、家屋等の監視装置に関し、特に、家屋等のセキュリティに適する監視装置の改良に関する。
【背景技術】
【０００２】
監視装置、特に、家屋等のセキュリティ、すなわち、防犯や火災等に適する監視装置にあっては、たとえば、異常を検出するセンサと、センサが出力する異常信号を受けて監視カメラを作動させて画像を取り込む制御装置と、制御装置が取り込んだ画像が通信回線を介して伝達される監視制御サーバとを備えたものが知られている。
【０００３】
この監視装置では、上記したように異常信号をトリガとして監視カメラを作動させて画像を制御装置内のメモリに一端取り込み、制御装置は、自身を識別する信号とともに取り込んだ画像を監視制御サーバに転送する。
【０００４】
そして、監視制御サーバは、識別信号に基づいてユーザデータベースを検索して監視装置を利用しているユーザを特定し、上記転送された画像情報と特定済みのユーザの識別番号（以下、ＩＤという）に関連付けを行った後に記憶装置に格納するとともに、そのユーザの携帯端末宛にセンサが異常を検知した旨を通知する電子メールを作成し送信する。
【０００５】
この電子メールを受け取ったユーザは、携帯端末を利用して監視制御サーバにアクセスすることによって、画像を参照することができるとともに、また、該携帯端末からの制御指令を送ることによって監視制御サーバを介して制御装置に監視カメラのパンニング、撮影範囲を照射する照明の点灯を指示することができるようになっている。
【０００６】
すなわち、この監視装置によれば、まず、監視装置のユーザが家屋内の異変の第一報を受けられるメリットがあり、さらに、異変の内容を監視カメラの画像によって確認することができるメリットがある（たとえば、特許文献１参照）。
【特許文献１】特開２００２−１５３９０号公報（図１）
【発明の開示】
【発明が解決しようとする課題】
【０００７】
上記したように、従来監視装置では、ユーザ自身が家屋等で生じた異常を確認することができる点で有用であるが、以下の不具合がある。
【０００８】
たとえば、センサが監視場所に侵入者があることを検知し監視カメラが監視場所を撮影したときに、異常発生時間が夜であったり、もともと監視場所が暗い場所であったりする場合には、撮影された画像が暗くてユーザは侵入者の特定を行えない場合がある。また、電子メールで通知を受けてユーザが照明を点灯させた時点では侵入者が監視場所にはいないケースもあり、侵入者の特定を行うことができない場合も想定される。
【０００９】
さらに、家屋等に無断で侵入する者は、照明の点灯や警報音等の警告を与えることにより、窃盗を行わない場合があるが、センサが異常を検知したときに照明の点灯、警報音の発生を行うようにしておかなければ、警告が時機を逸したものとなることも考えられる。
【００１０】
また、異常が火災等の災害の場合にあっては、照明の点灯では近所の住民に気づいてもらえない場合があるので、この場合には警報音を発生させた方が良い場合もある。
【００１１】
このように、ユーザは、異常が検出された際、監視装置に自己の好みにあった動作をさせることを望んでいるが、従来の監視装置ではユーザに設定の自由度がなく、いわゆるお仕着せのセキュリティシステムの提供を受けることしかできなかった。
【００１２】
そこで、本発明は上記不具合を改善する為に創案されたものであって、その目的とするところは、自由度の高いセキュリティシステムを実現可能な監視装置を提供することである。
【課題を解決するための手段】
【００１３】
本発明の監視装置は、監視カメラと、異常を検出すると異常信号を出力するセンサ手段と、センサ手段の異常信号を受け取ると監視カメラを作動させて画像を取得する制御部とを備え、制御部はセンサ手段の異常信号の入力に対して複数の端子に制御信号を出力可能であって、各端子への制御信号の出力可否が選択可能とされることで、課題解決を図るものである。
【発明の効果】
【００１４】
本発明の監視装置によれば、制御部が各出力端子に出力する制御信号の出力可否の選択が可能であるので、監視装置のユーザが自己の好みにあった動作をさせることが可能であり、ユーザに設定の自由度を与えることが可能であるから、自由度の高いセキュリティシステムを実現できる。
【発明を実施するための最良の形態】
【００１５】
以下、図に示した実施の形態に基づき、本発明を説明する。図１は、一実施の形態における監視装置のシステム構成を示す図である。図２は、一実施の形態の監視装置における制御信号の出力可否を変更する処理手順のフローチャートである。図３は、一実施の形態における監視装置の異常信号入力時の作動を示すフローチャートである。
【００１６】
図１に示すように、一実施の形態における監視装置は、家屋等に設置される監視カメラ１と、異常を検出すると異常信号を出力するセンサ手段２と、センサ手段２の異常信号を受け取ると監視カメラ１を作動させて画像を取得する制御部３と、制御部３からインターネット等の通信手段４を介して画像情報を含む情報が伝達されるサーバ５とを備えて構成されている。
【００１７】
なお、通信手段４は、情報通信が可能であればよいので、インターネットに限らず、有線、無線や携帯電話通信網等とされてもよい。
【００１８】
以下、詳細に説明すると、監視カメラ１は、ＣＣＤ（電荷結合素子、図示せず）とレンズ（図示せず）を備えており、ＣＣＤカメラとして構成され、家屋等の監視場所を撮影可能な箇所に設置され、また、センサ手段２は、赤外線センサ２１と、温度センサ２２とを備え、赤外線センサ２１は、監視場所への侵入者の有無をセンシングすることが可能な箇所に設置されるとともに、温度センサ２２は、監視場所の温度を検出できる箇所に設置されている。
【００１９】
そして、具体的にたとえば、赤外線センサ２１は、監視場所に侵入者がある場合には、これを検知して出力電圧を変化させるが、この変化後の電圧信号が異常信号とされる。また、温度センサ２２も、監視場所の温度変化に応じて出力する電圧を変化させるが、監視場所の温度が所定の温度以上となるときに出力する電圧信号をもってこれを異常信号としている。
【００２０】
つまり、センサ手段２は、侵入者の監視場所への侵入に対しては赤外線センサ２１によって異常を検知し、監視場所の温度異常に対しては温度センサ２２によって温度異常を検知し、それぞれ異常信号を出力するのである。すなわち、センサ手段２は、侵入者の監視場所への侵入や温度異常といった異常種別に対応した異常信号を出力することになる。
【００２１】
制御部３は、監視カメラ１が出力するアナログの画像信号をデジタル信号に、赤外線センサ２１が出力するアナログの電圧信号をデジタル信号に、さらには、温度センサ２２が出力するアナログの電圧信号をデジタル信号にそれぞれ変換するＡ／Ｄ変換器３１，３２，３３と、変換された画像信号を取り込んで画像情報を圧縮する圧縮回路３４と、監視装置における制御手順を処理する主制御部３５と、上記制御手順が格納されるフラッシュロム（Ｆｌａｓｈ  Ｒｏｍ）および演算処理部３５が制御手順を処理する際に生成される情報を記憶するラム（Ｒｏｍｄｏｍ  ａｃｃｅｓｓ  Ｍｅｍｏｒｙ）とを備えて構成される記憶装置３６と、主制御部３５からの指令を受けて複数の端子である出力端子３７ａ，３７ｂ，３７ｃ，３７ｄに制御信号を出力可能な出力制御部３８と、通信手段４との情報授受を可能とする通信インターフェース３９とを備えて構成されている。
【００２２】
なお、監視カメラ１は、上記主制御部３５に接続され、主制御部３５からの指令によってズーム、パンニングおよび撮影を行うことが可能なようになっている。
【００２３】
また、制御部３における出力端子３７ａ，３７ｂ，３７ｃ，３７ｄの一つは、監視カメラ１の撮影範囲を照射する照明装置６に接続され、また、他の出力端子３７ａ，３７ｂ，３７ｃ，３７ｄの一つは、警報音を発生可能な警報装置７に接続されている。
【００２４】
この場合、上記出力制御部３８は、制御信号としての電圧をそれぞれ照明装置６および警報装置７に出力端子３７ａ，３７ｂ，３７ｃ，３７ｄを介して出力できるようになっており、照明装置６を点灯および消灯できるとともに、警報装置７に警報音の発生と消滅させることができるようになっている。
【００２５】
そして、この制御部３は、基本的には、赤外線センサ２１や温度センサ２２から異常信号が入力されると、監視カメラ１を作動させて監視場所を撮影し、この監視場所の画像を圧縮回路３４で圧縮するとともに、圧縮された画像情報を自己の認識ＩＤとともに、通信インターフェース３９から通信手段４を介してサーバ５に向けて送信するようになっている。
【００２６】
また、制御部３が出力制御部３８を介して各出力端子３７ａ，３７ｂ，３７ｃ，３７ｄに出力する制御信号の出力可否の選択が可能であって、具体的には、通信手段４を介して携帯端末あるいは端末（以下、端末等という）１０から制御部３に入力される指令によって、この出力可否の設定が可能なようになっている。
【００２７】
したがって、たとえば、赤外線センサ２１が侵入者の監視場所への侵入に対し、これを異常として検出して異常信号が制御部３に入力されると、監視カメラ１の監視場所の撮影とともに照明装置６あるいは警報装置７あるいはその両方を作動させることができ、または、その両方ともを作動させないようにすることも可能である。
【００２８】
なお、照明装置６の点灯を監視カメラ１の作動に先んじて行うように設定しておけば、赤外線センサ２１が監視場所に侵入者があることを検知し監視カメラ１が監視場所を撮影したときに、異常発生時間が夜であっても、侵入者の特定を行うことができることになる。
【００２９】
また、警報装置７に警報を発生させるようにしておけば、侵入者へタイムリーな警告を与えることができ、窃盗を未然に防止し得ることになる。
【００３０】
すなわち、異常信号に対する監視装置の作動を監視カメラ１の撮影のみならず、監視装置に接続される照明装置６や警報装置７に連動させることができる。
【００３１】
さらに、この監視装置にあっては、センサ手段２の異常種別に対応して、個々に異常信号を出力することができるが、この制御部３にあっては、異常種別に対応した異常信号に対応して制御信号の出力可否をユーザが選択することができるようになっている。
【００３２】
したがって、たとえば、赤外線センサ２１の異常信号に対しては、照明装置６を点灯させるが、温度センサ２２の異常信号に対しては警報装置７に警報音を発生させるようにすることも可能である。
【００３３】
このように、この監視装置にあっては、制御信号の出力可否の選択が可能となっているので、監視装置のユーザが自己の好みにあった動作をさせることが可能であり、ユーザに設定の自由度を与えることが可能であるから、自由度の高いセキュリティシステムを実現できるのである。
【００３４】
他方、サーバ５は、通信手段４との情報授受を可能とする通信インターフェース５１と、制御部３から伝達される認識ＩＤに基づいてユーザデータベース５２を参照してユーザおよび監視場所を特定する特定部５３と、電子メールを作成するメール作成部５４と、制御部３から伝達される情報を処理する情報処理部５５と、画像情報が格納される画像データベース５６とを備えて構成されている。
【００３５】
このサーバ５にあっては、制御部３から認識ＩＤと画像情報とを受け取ると、特定部５３が認識ＩＤをもとにユーザデータベース５２を参照してユーザおよび監視場所を特定し、情報処理部５５は、画像情報を画像データベース５６に記憶させ、メール作成部５４は、ユーザデータベース５２にあらかじめ登録されているユーザの端末等１０のメールアドレスを宛先とするとともに、異常が発生した内容のメールを作成し、画像情報を添付して、上記メールアドレスに向けて電子メールを送信する。
【００３６】
なお、メール作成部５４は、ユーザが電子メールを受け取る端末等１０に合致するように画像情報のフォーマットを変換可能であるとともに、通信インターフェース５１は、上記ユーザが電子メールを受け取る端末等１０に合致するように通信プロトコルを適宜変換することが可能なようになっている。
【００３７】
また、サーバ５がメールを送信する場合に、電話サービスサーバを一旦介してもよい。
【００３８】
また、ユーザは、監視装置に端末等１０から通信手段４を介して直接アクセスして、監視カメラ１、照明装置６および警報装置７を遠隔操作できるようになっている。
【００３９】
具体的には、ユーザが端末等１０から指令を制御部３に遠隔操作指令を与えることによって、監視カメラ１で監視場所の撮影、監視カメラ１のパンニング、ズームさらには制御部３に制御信号を出力させることによって照明装置６の点消灯、警報装置７に警報音を発生あるいは警報音の消滅をさせることができる。
【００４０】
さて、制御部３の出力端子３７ａ，３７ｂ，３７ｃ，３７ｄへの制御信号出力可否の設定については、図２に示した処理手順によって行われる。
【００４１】
この処理手順は、ユーザの端末等１０から通信手段４を介して制御部３にアクセスがあると、割り込み処理として実行され、ステップ９０で、制御部３は、認識ＩＤおよびパスワードの入力を求める。
【００４２】
そして、ユーザが端末等１０から認識ＩＤおよびパスワードが送信されると、ステップ９１に移行して、制御部３は、記憶装置３６に格納されている認識ＩＤおよびパスワードを参照し、入力された認識ＩＤおよびパスワードと合致するか否かを判断する。
【００４３】
この判断の結果、認識ＩＤおよびパスワードが合致する場合にはステップ９２に移行し、そうでない場合には処理を終了し、再度のアクセスがない限り処理が再開されることはない。
【００４４】
なお、上記例では認識ＩＤを入力させているが、これに換えてユーザに固有のユーザＩＤを与えている場合には、ユーザＩＤとパスワードとの合致で判断するようにしてもよい。
【００４５】
ステップ９２では、ユーザは、監視装置のコントロールと出力設定のいずれかを選択する。具体的には、ユーザの端末等１０の表示装置に「コントロール」および「出力設定」との文字列と各文字列の前に選択ボタンを表示させ、ユーザに選択ボタンを利用して上記選択を促す。
【００４６】
そして、ユーザが監視装置のコントロールを選択するときには、上記した遠隔操作処理に移行し、出力設定を選択するときには、ステップ９３に移行する。
【００４７】
ステップ９３では、異常信号を出力するセンサの選択が行われる。この実施の形態においては、赤外線センサ２１あるいは温度センサ２２が選択されることになる。具体的には、ユーザの端末等１０の表示装置に「センサ１」、「センサ２」との文字列と各文字列の前に選択ボタンを表示させ、ユーザに選択ボタンを利用して上記選択を促す。
【００４８】
なお、「センサ１」という文字列に「赤外線センサ」という文字列を関連付けることができる場合には、「センサ１」の文字列の代わりに、「赤外線センサ」を表示させてもよい。また、「センサ２」についても同様に「温度センサ」を表示させてもよい。
【００４９】
そして、ステップ９４では、ユーザによる選択されたセンサに関連する出力設定が行われる。この実施の形態では、出力端子３７ａ，３７ｂ，３７ｃ，３７ｄが４つあるので、出力端子３７ａ，３７ｂ，３７ｃ，３７ｄ毎にｏｎ、ｏｆｆの選択が行われ、ユーザの選択が終了すると、制御部３はその設定情報を記憶装置３６に格納する。
【００５０】
なお、設定情報は、たとえば、出力端子３７ａ，３７ｂ，３７ｃ，３７ｄが４つあるので、赤外線センサ２１の異常信号に関連する設定情報であれば、出力設定値Ｆ１Ｎ（Ｎ＝１，２，３，４）として、温度センサ２２の異常信号に関連する設定情報であれば、出力設定値Ｆ２Ｎ（Ｎ＝１，２，３，４）として、それぞれ記憶装置３６のフラッシュロムに格納される。
【００５１】
また、出力設定値ＦＸＮ（Ｘ＝１，２、Ｎ＝１，２，３，４）の値は、ｏｎを意味する１かｏｆｆを意味する０に設定される。
【００５２】
そして、この実施の形態の場合、各出力端子３７ａ，３７ｂ，３７ｃ，３７ｄへの制御信号の出力の可否は、上述した出力設定値ＦＸＮに基づいて、決定されることになる。
【００５３】
続いて、ステップ９５では、出力設定を終了するかをユーザに促すために、ユーザの端末等１０の表示装置に「設定終了」、「設定を継続する」との文字列と各文字列の前に選択ボタンを表示させ、ユーザに選択ボタンを利用して上記選択を促す。
【００５４】
そして、ユーザが設定終了を選択するときには、この設定処置を終了し、設定を継続することをユーザが望む場合には、ステップ９３に移行する。
【００５５】
上記設定が終了すると、制御部３は、再起動処理を行う。再起動時には、ＯＳ（オペレーティングシステム）に続いて監視装置プログラムが実行されるが、このとき、上記ステップ９４で記憶装置３６のフラッシュロムに格納された出力設定値Ｆ１Ｎ，Ｆ２Ｎが一度だけ読み込まれ、上記監視装置プログラムの実行に当たっては、上記読み込まれた出力設定値Ｆ１Ｎ，Ｆ２Ｎは、その後の監視装置プログラム上の処理中、常に有効な値とされる。
【００５６】
したがって、この再起動処理が行われない限りは、ステップ９４で設定される出力設定値は、有効とはならず、再起動処理が行われて初めて、出力設定によって変更される出力設定値は有効となる。
【００５７】
また、制御部３は、この再起動処理を行うときに、サーバ５に識別ＩＤとともに再起動処理を行った旨および上記出力設定値の情報を再起動情報として送信する。
【００５８】
この送信を受けたサーバ５では、まず、特定部５３が識別ＩＤに基づいてユーザデータベース５２を参照してユーザおよび監視場所を特定し、続いて、メール作成部５４がユーザデータベースに登録されたメールアドレス宛に、監視装置が再起動した旨と出力設定値の内容をテキストとして電子メールを作成し、ユーザの端末等１０に送信する。
【００５９】
したがって、ユーザは、監視装置における出力設定を変更した場合には、必ず、監視装置が再起動したことを確認できるとともに、自己が変更した出力設定値を再度確認することができる。
【００６０】
また、上記電子メールをユーザが受け取らない場合には、監視装置が再起動処理を行っていないことになるので、変更した出力設置値が有効になっていないことを確認することができ、ユーザは、設定変更に失敗したことを確認することができ、これにより、設定変更ミスに気づかずに監視装置を運用してしまう危険がない。
【００６１】
さらに、ユーザが監視装置の設定変更を行っていないのに、出力設定値が変更された場合には、上記電子メールを受け取ることで、第三者が勝手に出力設定値を変更したか、何らかの理由、たとえば、電源が一度ｏｆｆされたこと等により監視装置が再起動したことをユーザが知ることができ、出力設定値情報の確認により同設定値の勝手な変更や、出力設定値に異常がない場合には監視装置の異常を直ちに認識することができ、ユーザは、これらの異常事態に直ちに対処することができる。
【００６２】
すなわち、この監視装置にあっては、作動についての設定自由度が高められているだけでなく、ユーザが異常事態に直ちに対処することができるので安全度を高めることができるのである。
【００６３】
なお、再起動処理時に再起動した情報のみを送信するようにしてもよいが、この場合には監視装置自体の異常か出力設定値の変更があったかを直ちに把握することはできないが、ユーザにいち早く異常を知らせて監視装置にアクセスする機会を与えることができ、ユーザは、遠隔操作で監視場所を目で確認することができるので、防犯性能が向上する。
【００６４】
また、この実施の形態においては、再起動時にはサーバ５に電子メールを作成させてユーザの端末等１０に電子メールを送信するようにしているが、これにかえて、ユーザの携帯端末が携帯電話である場合には、直接的に制御部３から該携帯電話に電話してユーザに音声によって再起動処理をした旨を伝達するようにしてもよい。
【００６５】
ちなみに、本実施の形態においては、出力設定値の変更や遠隔操作にあたって、ユーザの端末等１０から直接制御部３にアクセスするようにしているが、これをサーバ５にアクセスするようにして、サーバ５の図示しない記憶装置に上記した出力変更や遠隔操作の処理を実行する為のプログラムを格納しておき、制御部３には、出力設定値の変更および遠隔操作に必要となる最低限の情報を送信するようにしておいてもよく、また、制御部３に直接にキーボード等の情報入力装置を接続して情報入力することが可能な場合には、この情報入力装置から直接制御部３にアクセスして上記設定および変更、監視カメラ等の操作を行えるようにしてもよい。
【００６６】
このように構成された監視装置の動作について、図３に示したフローチャートに即して説明する。
【００６７】
ステップ１００では、監視装置は、センサ手段２からの異常信号が入力されているか否かを判断し、異常信号の入力がある場合には、ステップ１０１へ移行し、異常信号の入力がない場合、繰り返し異常信号が入力されるまで繰り返し入力の有無を判断し続ける。
【００６８】
なお、このステップ１００での判断は、センサ手段２の赤外線センサ２１あるいは温度センサ２２あるいはその両方が異常信号を出力する場合には、異常信号ありと判断する。
【００６９】
つづいて、ステップ１０１では、制御部３は、各出力端子３７ａ，３７ｂ，３７ｃ，３７ｄへの制御信号を出力するための出力フラグＺＮ（Ｎ＝１，２，３，４）を生成する。
【００７０】
出力フラグＺＮは、それぞれ１つの出力端子３７ａ，３７ｂ，３７ｃ，３７ｄに制御信号を出力すべきか否かを示す値であって、この実施の形態においては、出力フラグＺ１は出力端子３７ａに対応し、以下、出力フラグＺ２は出力端子３７ｂに、出力フラグＺ３は出力端子３７ｃに、出力フラグＺ４は出力端子３７ｄに、それぞれ対応している。
【００７１】
この出力フラグＺＮの生成にあたり、赤外線センサ２１のみが異常信号を出力している場合には、出力フラグＺＮ＝Ｆ１Ｎとし、温度センサ２２のみが異常信号を出力している場合には、出力フラグＺＮ＝Ｆ２Ｎとし、赤外線センサ２１および温度センサ２２の両方が異常信号を出力している場合には、出力フラグＺＮの値はＦ１ＮとＦ２Ｎの論理和の値とされる。
【００７２】
つづいて、ステップ１０２では、出力フラグＺＮのうち、値が１である場合には対応する出力端子３７ａ，３７ｂ，３７ｃ，３７ｄに制御信号を出力する。
【００７３】
さらに、ステップ１０３では、制御部３は監視カメラ１を駆動して監視場所を撮影し、この画像情報を圧縮回路３４で圧縮し、一旦記憶装置に格納する。
【００７４】
そして、ステップ１０４では、制御部３は、上記圧縮された画像情報を識別ＩＤとともに通信インターフェース３９から送信する。
【００７５】
つづいて、ステップ１０５に移行し、制御部３は、任意に設定される時間が経過すると、制御信号の出力を停止して、この処理を終了する。
【００７６】
この監視装置では、上記したステップ１００からステップ１０５までの処理を繰り返し行い、常に監視場所の異常を検出し、監視場所を監視し続ける。
【００７７】
監視場所における処理は以上の通りであるが、他方、サーバ５は、ステップ１０４で制御部３からの情報を受信すると、特定部５３でユーザの特定を行い、メール作成部５４がユーザの端末等１０宛に、異常を検知した旨のテキストおよび画像情報を送信する。なお、この電子メールのテキスト中に、異常発生時間の情報を入れておくとしてもよい。
【００７８】
また、制御出力の停止については、ユーザが端末等１０から遠隔操作指令を制御部３に送ることで停止することができるようにしておいてもよい。
【００７９】
このように、制御部３が出力制御部３８を介して各出力端子３７ａ，３７ｂ，３７ｃ，３７ｄに出力する制御信号の出力可否の選択が可能であるので、監視装置のユーザが自己の好みにあった動作をさせることが可能であり、ユーザに設定の自由度を与えることが可能であるから、自由度の高いセキュリティシステムを実現できるのである。
【００８０】
そして、たとえば、この監視装置にあっては、異常信号に対する監視装置の作動を監視カメラ１の撮影のみならず、監視装置に接続される照明装置６や警報装置７に連動させることができ、または、その両方ともを作動させないようにすることも可能であり、異常発生時間が夜であっても、侵入者の特定を行うことができるようになり、侵入者へタイムリーな警告を与えることができ、窃盗を未然に防止し得ることになる。
【００８１】
なお、出力端子の形状や制御信号については任意に設定されるが、たとえば、出力端子の形状とコンセントと同形状としておき、制御信号を交流１００Ｖ電圧としておくと、特に防犯用や災害用に用いられる機器のみならず、ラジオ、テレビジョン、洗濯機等々の家庭用生活機器を作動させることもでき、そうすることによって無人の監視場所に侵入した侵入者に生活音を知覚させることができ、窃盗を未然に防止することも可能である。
【００８２】
また、本実施の形態においては、センサ手段２は、赤外線センサ２１と温度センサ２２とを備えているが、他のセンサで監視場所の異常を検知してもよいし、また、上記二つのセンサに加えて窓の開閉をセンシングするセンサやガス漏れや煙を検知するセンサを増やしてもよく、さらに、制御信号を出力する端子を増減させることも可能である。
【００８３】
なお、上記した制御処理手順および出力設定処理手順は、一例であるので、監視装置の仕様等によって最適となるようにこれを変更することが可能である。
【００８４】
以上で、本発明の実施の形態についての説明を終えるが、本発明の範囲は図示されまたは説明された詳細そのものには限定されないことは勿論である。
【図面の簡単な説明】
【００８５】
【図１】一実施の形態における監視装置のシステム構成を示す図である。
【図２】一実施の形態の監視装置における制御信号の出力可否を変更する処理手順のフローチャートである。
【図３】一実施の形態における監視装置の異常信号入力時の作動を示すフローチャートである。
【符号の説明】
【００８６】
１  監視カメラ
２  センサ手段
２１  赤外線センサ
２２  温度センサ
３  制御部
３１，３２，３３  Ａ／Ｄ変換器
３４  圧縮回路
３５  主制御部
３６  記憶装置
３７ａ，３７ｂ，３７ｃ，３７ｄ  端子たる出力端子
３８  出力制御部
３９  通信インターフェース
４  通信手段
５  サーバ
６  照明装置
７  警報装置
【図１】
2006302053.tif 000003
【図２】
2006302053.tif 000004
【図３】
2006302053.tif 000005